(57)【要約】【課題】複数の装置におけるファンの駆動開始時刻をユーザが前もって容易に把握することができる技術を提供する。【解決手段】本発明の情報処理装置は、第１装置の内部を冷却する第１ファンと第２装置の内部を冷却する第２ファンとの駆動が停止されている期間である停止期間において、現時刻から前記第１ファンが駆動されると推定される時刻までの時間である第１時間を示す第１時間情報を取得する第１取得手段と、前記停止期間において、現時刻から前記第２ファンが駆動されると推定される時刻までの時間である第２時間を示す第２時間情報を取得する第２取得手段と、前記第１時間情報と前記第２時間情報に基づいて、前記第１時間と前記第２時間のうち短い方に関する情報を含む通知情報を、ユーザに通知する通知手段と、を有する。【選択図】図２
2016220018.tif 000002
【特許請求の範囲】
【請求項１】
第１装置の内部を冷却する第１ファンと第２装置の内部を冷却する第２ファンとの駆動が停止されている期間である停止期間において、現時刻から前記第１ファンが駆動されると推定される時刻までの時間である第１時間を示す第１時間情報を取得する第１取得手段と、
前記停止期間において、現時刻から前記第２ファンが駆動されると推定される時刻までの時間である第２時間を示す第２時間情報を取得する第２取得手段と、
前記第１時間情報と前記第２時間情報に基づいて、前記第１時間と前記第２時間のうち短い方に関する情報を含む通知情報を、ユーザに通知する通知手段と、
を有することを特徴とする情報処理装置。
【請求項２】
現時刻における前記第１装置の内部の温度の測定値を取得する第３取得手段をさらに有し、
前記第１取得手段は、前記第３取得手段で取得された測定値に基づいて前記第１時間を推定する
ことを特徴とする請求項１に記載の情報処理装置。
【請求項３】
現時刻における前記第２装置の内部の温度の測定値を取得する第４取得手段をさらに有し、
前記第２取得手段は、前記第４取得手段で取得された測定値に基づいて前記第２時間を推定する
ことを特徴とする請求項１または２に記載の情報処理装置。
【請求項４】
前記通知情報は、前記第１時間と前記第２時間のうち短い方を示す
ことを特徴とする請求項１〜３のいずれか１項に記載の情報処理装置。
【請求項５】
前記第１装置が所定の処理を行っている期間であり、且つ、前記第１装置の内部の温度が第１閾値未満である期間に、前記第１ファンの駆動は停止され、
前記第１装置が前記所定の処理を行っている期間であり、且つ、前記第２装置の内部の温度が第２閾値未満である期間に、前記第２ファンの駆動は停止され、
前記第１時間は、現時刻から前記第１装置の内部の温度が前記第１閾値に達すると推定される時刻までの時間であり、
前記第２時間は、現時刻から前記第２装置の内部の温度が前記第２閾値に達すると推定される時刻までの時間である
ことを特徴とする請求項１〜４のいずれか１項に記載の情報処理装置。
【請求項６】
前記第１装置は、撮像装置であり、
前記所定の処理は、撮像によって得られた動画像データを記録する処理である
ことを特徴とする請求項５に記載の情報処理装置。
【請求項７】
前記通知手段は、前記通知情報を画面に表示する表示制御を行うことにより、前記通知情報をユーザに通知する
ことを特徴とする請求項１〜６のいずれか１項に記載の情報処理装置。
【請求項８】
前記画面は、前記第１装置が有する画面、前記第２装置が有する画面、または、それらの両方である
ことを特徴とする請求項７に記載の情報処理装置。
【請求項９】
前記第２装置は、表示装置であり、
前記情報処理装置は、前記第２時間が前記第１時間よりも短い場合に、前記第２装置が有する画面の輝度を低減する低減手段をさらに有する
ことを特徴とする請求項１〜８のいずれか１項に記載の情報処理装置。
【請求項１０】
前記第２装置は、発光部と、前記発光部から発せられた光を変調することで前記画面に画像を表示する表示部と、を有し、
前記低減手段は、前記発光部の発光輝度を低減する
ことを特徴とする請求項９に記載の情報処理装置。
【請求項１１】
前記通知手段は、前記第２時間が前記第１時間よりも短い場合に、前記第１時間に関する情報を含む通知情報を、ユーザに通知する
ことを特徴とする請求項９または１０に記載の情報処理装置。
【請求項１２】
前記通知情報は、前記低減手段により前記画面の輝度が低減されていることを示す
ことを特徴とする請求項９〜１１のいずれか１項に記載の情報処理装置。
【請求項１３】
第１装置の内部を冷却する第１ファンと第２装置の内部を冷却する第２ファンとの駆動が停止されている期間である停止期間において、現時刻から前記第１ファンが駆動されると推定される時刻までの時間である第１時間を示す第１時間情報を取得する第１取得ステップと、
前記停止期間において、現時刻から前記第２ファンが駆動されると推定される時刻までの時間である第２時間を示す第２時間情報を取得する第２取得ステップと、
前記第１時間情報と前記第２時間情報に基づいて、前記第１時間と前記第２時間のうち短い方に関する情報を含む通知情報を、ユーザに通知する通知ステップと、
を有することを特徴とする情報処理方法。
【請求項１４】
請求項１３に記載の情報処理方法の各ステップをコンピュータに実行させることを特徴とするプログラム。
【発明の詳細な説明】
【技術分野】
【０００１】
本発明は、情報処理装置及び情報処理方法に関する。
【背景技術】
【０００２】
画像制作の動画撮像工程では、カメラが撮像によって生成した動画像データと、動画撮像（動画像データを生成する撮像）の期間にマイクロフォンに入力された音を表す音声データと、が記録される。また、それらとともに、カメラが撮像によって生成した画像データが表示装置の画面にリアルタイムで表示される。ユーザは、例えば、リアルタイムで表示された画像データを見て、撮影素材を確認する。具体的には、ユーザは、画面構成（人物の立ち位置、人物と背景のバランス、等）を確認する。
【０００３】
カメラ、表示装置、等の装置には、一般的に、装置内温度（装置の内部の温度）の上昇を防ぐために、装置の内部を冷却するファンが設けられる。しかしながら、動画撮像の期間にファンが駆動（回転）すると、ファンが駆動することによって発生する音（駆動音；回転音）がマイクロフォンに入力され、ファンの駆動音が記録されることがある。ファンの駆動音は雑音であるため、ファンの駆動音が記録されるのは好ましくない。撮像現場では、装置の設置条件の制約等により、カメラ、マイクロフォン、及び、表示装置が互いに近い位置に設置されることがある。マイクロフォンと装置の間の距離が短いほどファンの駆動音がマイクロフォンに入力されやすい。また、マイクロフォンと装置の間の距離が短いほど大きい駆動音がマイクロフォンに入力される。
【０００４】
そこで、動画撮像の開始を検知し、ファンの駆動を停止する技術が提案されている。しかしながら、この技術では、ファンの駆動が停止されている期間では装置内温度が上昇し続けるため、装置内温度が所定の閾値以上に上昇した場合に、ファンの駆動が開始される。そのため、この技術を用いたとしても、ファンの駆動をユーザが予期することなく動画撮像の期間にファンの駆動が開始され、ファンの駆動音が記録されることがある。
【０００５】
このような課題を解決するための従来技術は、例えば、特許文献１に開示されている。特許文献１には、装置内温度が所定の閾値に達したことを検知し、装置内温度が所定の閾値に達した時刻から所定時間だけインジケータランプを点滅させ、所定時間後にファンの駆動を停止するカメラが開示されている。ユーザは、インジケータランプの点滅状態を確認することで、ファンの駆動開始時刻（ファンの駆動が開始される時刻）を前もって把握することができる。
【先行技術文献】
【特許文献】
【０００６】
【特許文献１】特開２０１０−６２８９２号公報
【発明の概要】
【発明が解決しようとする課題】
【０００７】
しかしながら、通常、カメラファン（カメラが有するファン）とディスプレイファン（表示装置が有するファン）とで駆動開始時刻は異なる。特許文献１に開示の技術では、ユーザは、カメラファンの駆動開始時刻しか把握することができない。そのため、ディスプレイファンの駆動開始時刻がカメラファンの駆動開始時刻よりも早い時刻である場合に、ディスプレイファンの駆動をユーザが予期することなく動画撮像の期間にディスプレイファンの駆動が開始されることがある。また、特許文献１に開示の技術をカメラと表示装置の両方に適用すれば、ユーザは、カメラファンの駆動開始時刻とディスプレイファンの駆
動開始時刻の両方を把握することができる。しかしながら、ユーザは、カメラのインジケータランプと表示装置のインジケータランプを個別に確認（監視）という煩雑な確認作業を行わなければならない。そのため、ユーザは、カメラファンの駆動開始時刻とディスプレイファンの駆動開始時刻を容易に把握することができない。
【０００８】
本発明は、複数の装置におけるファンの駆動開始時刻をユーザが前もって容易に把握することができる技術を提供することを目的とする。
【課題を解決するための手段】
【０００９】
本発明の第１の態様は、
第１装置の内部を冷却する第１ファンと第２装置の内部を冷却する第２ファンとの駆動が停止されている期間である停止期間において、現時刻から前記第１ファンが駆動されると推定される時刻までの時間である第１時間を示す第１時間情報を取得する第１取得手段と、
前記停止期間において、現時刻から前記第２ファンが駆動されると推定される時刻までの時間である第２時間を示す第２時間情報を取得する第２取得手段と、
前記第１時間情報と前記第２時間情報に基づいて、前記第１時間と前記第２時間のうち短い方に関する情報を含む通知情報を、ユーザに通知する通知手段と、
を有することを特徴とする情報処理装置である。
【００１０】
本発明の第２の態様は、
第１装置の内部を冷却する第１ファンと第２装置の内部を冷却する第２ファンとの駆動が停止されている期間である停止期間において、現時刻から前記第１ファンが駆動されると推定される時刻までの時間である第１時間を示す第１時間情報を取得する第１取得ステップと、
前記停止期間において、現時刻から前記第２ファンが駆動されると推定される時刻までの時間である第２時間を示す第２時間情報を取得する第２取得ステップと、
前記第１時間情報と前記第２時間情報に基づいて、前記第１時間と前記第２時間のうち短い方に関する情報を含む通知情報を、ユーザに通知する通知ステップと、
を有することを特徴とする情報処理方法である。
【００１１】
本発明の第３の態様は、上述した情報処理方法の各ステップをコンピュータに実行させることを特徴とするプログラムである。
【発明の効果】
【００１２】
本発明によれば、複数の装置におけるファンの駆動開始時刻をユーザが前もって容易に把握することができる。
【図面の簡単な説明】
【００１３】
【図１】実施例１に係る情報処理システムの構成の一例を示す図
【図２】実施例１に係る表示装置の構成の一例を示すブロック図
【図３】実施例１に係る表示装置の動作の一例を示すフローチャート
【図４】実施例１に係るファン停止時間の推定方法の一例を示す図
【図５】実施例１に係るＯＳＤ画像の一例を示す図
【図６】実施例２に係る情報処理システムの構成の一例を示す図
【図７】実施例２に係る表示装置の構成の一例を示すブロック図
【図８】実施例２に係る表示装置の動作の一例を示すフローチャート
【図９】実施例２に係るＯＳＤ画像の一例を示す図
【図１０】実施例３に係る情報処理システムの構成の一例を示す図
【図１１】実施例３に係る表示装置の構成の一例を示すブロック図
【図１２】実施例３に係る表示装置の動作の一例を示すフローチャート
【発明を実施するための形態】
【００１４】
＜実施例１＞
以下、本発明の実施例１に係る情報処理装置及び情報処理方法について説明する。図１は、本実施例に係る情報処理装置を有する情報処理システムの構成の一例を示す図である。図１の情報処理システムは、マイクロフォン１０、カメラ２０（第１装置）、及び、表示装置１００（第２装置）を有する。マイクロフォン１０とカメラ２０は、ケーブル３１を用いて互いに接続されており、カメラ２０と表示装置１００は、ケーブル３２を用いて互いに接続されている。例えば、ケーブル３１としては、ＸＬＲケーブルを用いることができ、ケーブル３２としては、ＳＤＩ（Ｓｅｒｉａｌ  Ｄｉｇｉｔａｌ  Ｉｎｔｅｒｆａｃｅ）ケーブルを用いることができる。本実施例では、ケーブル３２がＳＤＩケーブルである例を説明する。
【００１５】
なお、装置間の接続に使用されるケーブルは上記ケーブルに限らない。所望のデータを伝送可能なケーブルであれば、どのようなケーブルが使用されてもよい。また、複数の装置が無線で互いに接続されてもよい。そして、所望のデータが無線で伝送されてもよい。
【００１６】
なお、本実施例では、第１装置がカメラ２０であり、且つ、第２装置が表示装置１００である例を説明するが、第１装置と第２装置はこれらに限らない。例えば、第１装置または第２装置として、照明装置、パーソナルコンピュータ、等が使用されてもよい。また、情報処理システムが有する装置の数は、３つより多くても少なくてもよい。
【００１７】
マイクロフォン１０は、マイクロフォン１０に入力された音声を表す音声データを生成する。マイクロフォン１０は、カメラ２０と一体の装置であってもよい。
【００１８】
カメラ２０は、撮像によって得られた動画像データを記憶部に記録する動画記録処理を実行可能な撮像装置である。動画記録処理では、カメラ２０が、動画撮像（動画像データを生成する撮像）の期間にマイクロフォン１０に入力された音声を表す音声データを、マイクロフォン１０から取得する。そして、カメラ２０は、動画像データと音声データを記憶部に記録する。記憶部は、カメラ２０に対して着脱可能な記憶装置であってもよいし、そうでなくてもよい。記憶部としては、磁気ディスク、半導体メモリ、光ディスク、等を使用することができる。
【００１９】
カメラ２０は、動画記録処理の開始と停止を指示するためにユーザが操作するユーザインターフェースを有する。ユーザインターフェースとしては、物理ボタン、画面に表示された仮想ボタン、等を使用することができる。カメラ２０は、動画記録処理の実行中か否かを示す実行情報を表示装置１００に出力する。実行情報は、ＳＤＩ信号のアンシラリ領域を用いて出力される。
【００２０】
カメラ２０は、カメラ２０の装置内温度（カメラ２０の内部の温度）を測定する温度センサと、カメラ２０の内部を冷却するファン（第１ファン）とを有する。そして、カメラ２０は、所定の処理を行っている期間に、第１ファン制御を行う。所定の処理は特に限定されないが、本実施例では、所定の処理は動画記録処理である。第１ファン制御では、動画記録処理が行われている期間であり、且つ、カメラ２０の装置内温度が第１閾値未満である期間に、第１ファンの駆動（回転）が停止される。そして、動画記録処理が行われている期間であり、且つ、カメラ２０の装置内温度が第１閾値以上である期間に、第１ファンが駆動される。第１閾値は特に限定されない。第１閾値は、メーカーによって予め定められた固定値であってもよいし、ユーザが変更可能な値であってもよい。第１ファンを駆動する際の第１ファンの回転数は特に限定されない。
【００２１】
カメラ２０は、動画記録処理を行っている期間において、現時刻におけるカメラ２０の装置内温度の測定値を取得し（第３取得処理）、取得した測定値に基づいて第１ファン停止時間（第１時間）を推定する。第１ファン停止時間は、現時刻から第１ファンが駆動されると推定される時刻までの時間である。本実施例では、第１ファン停止時間は、現時刻からカメラ２０の装置内温度が第１閾値に達すると推定される時刻までの時間でもある。カメラ２０は、推定した第１ファン停止時間を示す第１時間情報を、表示装置１００に出力する。第１時間情報は、ＳＤＩ信号のアンシラリ領域を用いて出力される。
【００２２】
表示装置１００は、本実施例に係る情報処理装置を有する。表示装置１００としては、液晶表示装置、有機ＥＬ表示装置、プラズマ表示装置、プロジェクター、等を使用することができる。なお、情報処理装置は、表示装置１００とは別体の装置であってもよい。情報処理装置は、カメラ２０に設けられていてもよい。
【００２３】
図２は、表示装置１００の構成の一例を示すブロック図である。図２に示すように、表示装置１００は、受信部１０１、表示制御部１０２、表示モジュール１０３、第１時間情報取得部１０４、実行情報取得部１０５、ファン制御部１０６、温度センサ１０７、及び、第２ファン１０８を有する。なお、表示装置１００の１つの機能は、１つの処理回路によって実現されてもよいし、複数の処理回路によって実現されてもよい。表示装置１００の複数の機能が１つの処理回路によって実現されてもよい。ＣＰＵ（中央処理装置）がプログラムを実行することにより、複数の機能が実現されてもよい。例えば、第１時間情報取得部１０４の機能と、実行情報取得部１０５の機能とが１つの処理回路によって実現されてもよい。
【００２４】
温度センサ１０７は、表示装置１００の装置内温度（表示装置１００の内部の温度）を測定する。第２ファン１０８は、表示装置１００の内部を冷却するファンである。表示モジュール１０３は、表示モジュール１０３に入力された画像データに基づく画像を画面（表示装置１００が有する画面）に表示する。表示モジュール１０３としては、有機ＥＬ表示パネル、プラズマ表示パネル、等を使用することができる。また、表示モジュール１０３は、発光部と、発光部から発せられた光を変調することで画面に画像を表示する表示部と、を有していてもよい。表示部としては、液晶パネル、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを有する表示パネル、等を使用することができる。表示部として液晶パネルが使用される場合、発光部は「バックライト」と呼ぶことができる。表示部として液晶パネルが使用されるか否かに拘らず、発光部を「バックライト」と呼んでもよい。
【００２５】
受信部１０１は、カメラ２０から出力されたＳＤＩ信号を受信し、受信したＳＤＩ信号を解析する。そして、受信部１０１は、ＳＤＩ信号に含まれている画像データを表示制御部１０２へ出力し、ＳＤＩ信号に含まれているアンシラリデータ（アンシラリ領域に格納されたデータ）を第１時間情報取得部１０４と実行情報取得部１０５へ出力する。
【００２６】
第１時間情報取得部１０４は、受信部１０１から出力されたアンシラリデータを解析し、アンシラリデータから第１時間情報を取得する（第１取得処理）。本実施例では、動画記録処理が行われている期間であり、且つ、カメラ２０の装置内温度が第１閾値未満である期間に、第１時間情報が取得される。そして、第１時間情報取得部１０４は、取得した第１時間情報を表示制御部１０２へ出力する。
【００２７】
なお、第１時間情報の取得方法は、これに限らない。例えば、現時刻におけるカメラ２０の装置内温度の測定値が取得されてもよい（第３取得処理）。そして、第３取得処理で取得された測定値に基づいて第１ファン停止時間を推定することにより、第１時間情報が
取得されてもよい。
【００２８】
実行情報取得部１０５は、受信部１０１から出力されたアンシラリデータを解析し、アンシラリデータから実行情報を取得する。そして、実行情報取得部１０５は、取得した実行情報をファン制御部１０６へ出力する。
【００２９】
ファン制御部１０６は、実行情報取得部１０５から出力された実行情報を取得する。また、ファン制御部１０６は、温度センサ１０７から出力された温度情報（現時刻における表示装置１００の装置内温度の測定値）を取得する（第４取得処理）。そして、ファン制御部１０６は、取得した実行情報と温度情報に基づいて、第２ファン制御を行う。第２ファン制御では、動画記録処理（所定の処理）が行われている期間であり、且つ、表示装置１００の装置内温度が第２閾値未満である期間に、第２ファン１０８の駆動（回転）が停止される。そして、動画記録処理が行われている期間であり、且つ、表示装置１００の装置内温度が第２閾値以上である期間に、第２ファン１０８が駆動される。第２閾値は特に限定されない。第２閾値は、メーカーによって予め定められた固定値であってもよいし、ユーザが変更可能な値であってもよい。第２ファン１０８を駆動する際の第２ファン１０８の回転数は特に限定されない。
【００３０】
ファン制御部１０６は、動画記録処理が行われている期間において、第２ファン停止時間（第２時間）を示す第２時間情報を取得する（第２取得処理）。具体的には、ファン制御部１０６は、取得した温度情報に基づいて第２ファン停止時間を推定することにより、第２時間情報を取得する。第２ファン停止時間は、現時刻から第２ファン１０８が駆動されると推定される時刻までの時間である。本実施例では、第２ファン停止時間は、現時刻から表示装置１００の装置内温度が第２閾値に達すると推定される時刻までの時間でもある。ファン制御部１０６は、取得した第２時間情報を、表示制御部１０２へ出力する。
【００３１】
なお、第２時間情報の取得方法は、これに限らない。例えば、第１時間情報と同様に、外部装置で第２時間情報が生成され、外部装置から第２時間情報が取得されてもよい。
【００３２】
なお、第１時間情報と第２時間情報の少なくとも一方は、第１ファンと第２ファンの両方の駆動が停止されている期間である停止期間において取得されればよい。
【００３３】
表示制御部１０２は、受信部１０１から出力された画像データに種々の処理を施すことにより、表示用画像データを生成する。そして、表示制御部１０２は、生成した表示用画像データを表示モジュール１０３へ出力する。また、表示制御部１０２は、第１時間情報取得部１０４から出力された第１時間情報と、ファン制御部１０６から出力された第２時間情報と、に基づいて、通知情報をユーザに通知する。通知情報は、第１ファン停止時間と第２ファン停止時間のうち短い方に関する情報を含む。本実施例では、表示制御部１０２は、通知情報を表示装置１００の画面に表示する表示制御を行うことにより、通知情報をユーザに通知する。具体的には、表示制御部１０２は、通知情報を表すＯＳＤ画像の画像データを生成し、ＯＳＤ画像が配置された画像データを表示モジュール１０３へ出力する。それにより、ＯＳＤ画像が表示装置１００の画面に表示される。ＯＳＤ画像が配置された画像データは、例えば、受信画像（受信部１０１から出力された画像データが表す画像）にＯＳＤ画像を重ねた合成画像を表す画像データである。なお、通知情報の通知方法は特に限定されない。例えば、スピーカから発せられた音、ランプから発せられた光、等を用いて通知情報がユーザに通知されてもよい。通知情報を表す画像はＯＳＤ画像でなくてもよい。
【００３４】
次に、表示装置１００の動作の一例について、図３のフローチャートを用いて説明する。図３は、表示装置１００の動作の一例を示すフローチャートである。
【００３５】
まず、ファン制御部１０６が、実行情報取得部１０５から出力された実行情報に基づいて、動画記録処理が行われているか否かを判定する（Ｓ１０１）。動画記録処理が行われている場合には（Ｓ１０１：Ｙｅｓ）、ファン制御部１０６が第２ファン１０８の駆動を停止する（Ｓ１０２）。そして、Ｓ１０４に処理が進められる。動画記録処理が行われていない場合には（Ｓ１０１：Ｎｏ）、ファン制御部１０６が第２ファン１０８を駆動し（Ｓ１０３）、Ｓ１０１へ処理が戻される。
【００３６】
Ｓ１０４では、ファン制御部１０６が、第２ファン停止時間を推定（算出）する。Ｓ１０４の処理の具体例について、図４を用いて説明する。図４のグラフで、横軸は時間を示し、縦軸は温度を示す。実線２０１は、温度センサ１０７の測定値（表示装置１００の装置内温度）の時間変化を示し、破線２０２は、表示装置１００の装置内温度の推定値の時間変化を示し、破線２０３は、第２閾値を示す。実線２０１に基づいて、第２ファンの駆動を停止させた場合の表示装置１００の装置内温度の変化率（単位時間における温度の変化量）を推定することができる。また、推定した変化率に基づいて、破線２０２を得ることができる。そして、破線２０２が破線２０３と交わるまでに要する時間を、第２ファン停止時間として得ることができる。
【００３７】
なお、第１ファン停止時間も、第２ファン停止時間の推定方法と同様の方法で推定することができる。但し、第１ファン停止時間や第２ファン停止時間の推定方法は上記方法に限らない。装置内温度の時間変化ではなく、現時刻での装置内温度と所定の変化率とに基づいて、ファン停止時間が推定されてもよい。装置内温度に依存しない１つの変化率が予め定められていてもよいし、複数の装置内温度にそれぞれ対応する複数の変化率が予め定められていてもよい。
【００３８】
Ｓ１０４の次に、表示制御部１０２が、第１時間情報取得部１０４から出力された第１ファン停止時間を、Ｓ１０４で推定された第２ファン停止時間と比較する（Ｓ１０５）。第２ファン停止時間が第１ファン停止時間よりも短い場合には（Ｓ１０５：Ｙｅｓ）、表示制御部１０２が、第２通知情報（第２ファン停止時間に関する情報を含む通知情報）を表示装置１００の画面に表示する表示制御を行う（Ｓ１０６）。第１ファン停止時間が第２ファン停止時間よりも短い場合には（Ｓ１０５：Ｎｏ）、表示制御部１０２が、第１通知情報（第１ファン停止時間に関する情報を含む通知情報）を表示装置１００の画面に表示する表示制御を行う（Ｓ１０７）。第１ファン停止時間と第２ファン停止時間が等しい場合には、Ｓ１０６の処理とＳ１０７の処理のどちらが行われてもよい。
【００３９】
図３のフローチャートは、定期的に行われる。例えば、図３のフローチャートは、１秒周期で行われる。それにより、通知情報が更新されて通知される。
【００４０】
図５に、通知情報を表すＯＳＤ画像の一例を示す。図５は、第１ファン停止時間が５００秒であり、且つ、第２ファン停止時間が１０００秒であった場合の例を示す。上述したように、第１ファン停止時間は、カメラ２０のファンが駆動するまでの時間であり、第２ファン停止時間は、表示装置１００のファンが駆動するまでの時間である。図５では、第１ファン停止時間が第２ファン停止時間よりも短いため、第１ファン停止時間（５００秒＝８分２０秒）を示すＯＳＤ画像３０１が示されている。
【００４１】
なお、図５は、第１ファン停止時間と第２ファン停止時間のうち短い方を示す通知情報が使用された場合の例を示すが、通知情報はこれに限らない。第１ファン停止時間と第２ファン停止時間のうち短い方に関する情報を含んでいれば、どのような情報が通知情報として使用されてもよい。第１ファン停止時間と第２ファン停止時間の両方を示す通知情報が使用されてもよい。例えば、「８分２０秒後にカメラのファンの回転が開始し、１６分
４０秒後に表示装置のファンの回転が開始します」というテキスト画像が、ＯＳＤ画像として使用されてもよい。また、停止時間を明確に示さないＯＳＤ画像が使用されてもよい。例えば、「もうじきファンの回転が始まります」というテキスト画像が、ＯＳＤ画像として使用されてもよい。テキスト画像ではなく、グラフィック画像（アイコン）が使用されてもよい。
【００４２】
以上述べたように、本実施例によれば、情報処理装置により、第１ファン停止時間と第２ファン停止時間のうち短い方に関する情報を含む通知情報が、ユーザに通知される。それにより、複数の装置におけるファンの駆動開始時刻（ファンの駆動が開始される時刻）をユーザが前もって容易に把握することができる。
【００４３】
なお、本実施例では、表示装置を介して通知情報をユーザに通知する例を説明したが、これに限らない。例えば、カメラを介して通知情報がユーザに通知されてもよい。表示装置を介した通知情報の通知と、カメラを介した通知情報の通知とが行われてもよい。具体的には、カメラが有する画面に通知情報を表示する表示制御が行われてもよいし、カメラが有する画面と表示装置が有する画面とに通知情報を表示する表示制御が行われてもよい。また、情報処理装置が表示装置やカメラとは別体の装置である場合には、表示装置やカメラを介さずに通知情報がユーザに通知されてもよい。例えば、情報処理装置が有する画面に通知情報を表示する表示制御が行われてもよい。
【００４４】
＜実施例２＞
以下、本発明の実施例２に係る情報処理装置及び情報処理方法について説明する。なお、以下では、実施例１と同様の処理を行う機能部について、実施例１と同一の符号を付し、説明を省略する。図６は本実施例に係る情報処理システムの構成の一例を示す図である。図６の情報処理システムは、マイクロフォン１０、カメラ２０、及び、表示装置４００を有する。マイクロフォン１０とカメラ２０は、ケーブル３１を用いて互いに接続されており、カメラ２０と表示装置４００は、ケーブル３２を用いて互いに接続されている。
【００４５】
図７は、表示装置４００の構成の一例を示すブロック図である。図７に示すように、表示装置４００は、受信部１０１、実行情報取得部１０５、温度センサ１０７、第２ファン１０８、表示制御部４０１、第１時間情報取得部４０２、ファン制御部４０３、バックライト制御部４０４、液晶パネル４０５、及び、バックライト４０６を有する。
【００４６】
バックライト４０６は、液晶パネル４０５の背面に光を照射する発光部である。バックライト４０６の光源としては、ＬＥＤ（Ｌｉｇｈｔ  Ｅｍｉｔｔｉｎｇ  Ｄｉｏｄｅ）、有機ＥＬ素子、冷陰極管、等を用いることができる。液晶パネル４０５は、バックライト４０６から発せられた光を変調（透過）することで画面に画像を表示する表示部である。液晶パネル４０５の透過率は、液晶パネル４０５に入力された画像データに基づく値に制御される。
【００４７】
表示制御部４０１は、実施例１の表示制御部１０２と同様の処理を行う。但し、本実施例では、実施例１と異なる通知情報が使用されることがある。その詳細は後述する。なお、実施例１と同じ通知情報が使用されてもよい。
【００４８】
第１時間情報取得部４０２は、受信部１０１から出力されたアンシラリデータを解析し、アンシラリデータから第１時間情報を取得する。そして、第１時間情報取得部４０２は、取得した第１時間情報を、表示制御部４０１とバックライト制御部４０４へ出力する。
【００４９】
ファン制御部４０３は、実施例１と同様の第２ファン制御を行う。具体的には、ファン制御部４０３は、実行情報取得部１０５から出力された実行情報と、温度センサ１０７か
ら出力された温度情報と、を取得する。そして、ファン制御部４０３は、取得した実行情報と温度情報に基づいて、第２ファン制御を行う。また、ファン制御部４０３は、実施例１と同様に、第２時間情報を取得する。具体的には、ファン制御部４０３は、取得した温度情報に基づいて第２ファン停止時間を推定することにより、第２時間情報を取得する。そして、ファン制御部４０３は、取得した第２時間情報を、表示制御部４０１とバックライト制御部４０４へ出力する。
【００５０】
バックライト制御部４０４は、第１時間情報取得部４０２から出力された第１時間情報と、ファン制御部４０３から出力された第２時間情報と、に基づいて、バックライト４０６の発光輝度（発光量）を制御する。具体的には、バックライト制御部４０４は、第２ファン停止時間が第１ファン停止時間よりも短い場合に、バックライト４０６の発光輝度を低減する。それにより、表示装置４００の画面の輝度が低減される。また、表示装置４００の装置内温度の上昇が抑制される。それにより、第２ファン停止時間が第１ファン停止時間に近づけられる。
【００５１】
なお、本実施例では、表示モジュールが発光部と表示部を有する例を説明したが、これに限らない。例えば、表示モジュールとして、有機ＥＬ表示パネルやプラズマ表示パネルが使用されてもよい。そして、第２ファン停止時間が第１ファン停止時間よりも短い場合に、有機ＥＬ素子やプラズマ素子の発光輝度が低減されてもよい。そのような構成であっても、表示装置の画面の輝度を低減することができると共に、表示装置の装置内温度の上昇を抑制することができる。
【００５２】
次に、表示装置４００の動作の一例について、図８のフローチャートを用いて説明する。図８は、表示装置４００の動作の一例を示すフローチャートである。Ｓ１０１〜Ｓ１０５，Ｓ１０７の処理は、実施例１と同じである。第２ファン停止時間が第１ファン停止時間よりも短い場合には（Ｓ１０５：Ｙｅｓ）、Ｓ２０１に処理が進められる。
【００５３】
Ｓ２０１では、バックライト制御部４０４は、第１ファン停止時間と第２ファン停止時間に基づいて、バックライト発光比率を算出する。バックライト発光比率は、低減前の発光輝度（バックライト４０６の発光輝度）に対する低減後の発光輝度の割合である。例えば、バックライト発光比率は、以下の式１を用いて算出される。第１ファン停止時間（カメラ２０のファン停止時間）が１０００秒であり、且つ、第２ファン停止時間（表示装置４００のファン停止時間）が５００秒である場合、バックライト発光比率として０．５（＝５００／１０００）が得られる。
バックライト発光比率＝第２ファン停止時間／第１ファン停止時間
・・・（式１）
【００５４】
次に、バックライト制御部４０４が、Ｓ２０１で算出したバックライト発光比率に基づいて、バックライト４０６の発光輝度を低減する（Ｓ２０２）。バックライト発光比率が０．５である場合は、バックライト４０６の発光輝度が、通常の発光輝度の０．５倍の値に低減される。このように、バックライト４０６の発光輝度を通常の発光輝度よりも低い値に低減することにより、バックライト４０６の発熱量を低減することができる。その結果、第２ファン停止時間を延ばすことができ、第２ファン停止時間を第１ファン停止時間に近づけることができる。
【００５５】
なお、バックライト４０６の発光輝度の低減方法は、上記方法に限らない。例えば、バックライト発光比率の算出式として、バックライト４０６以外の発熱源を考慮した算出式が使用されてもよい。また、発光輝度の低減し使用するパラメータとして、バックライト
発光比率ではなく、低減前の発光輝度と低減後の発光輝度の一方から他方を減算した値が使用されてもよい。低減後の発光輝度として、予め定められた値が使用されてもよい。
【００５６】
Ｓ２０２の次に、表示制御部４０１が、第３通知情報を表示装置４００の画面に表示する表示制御を行う（Ｓ２０３）。図９に、第３通知情報を表すＯＳＤ画像の一例を示す。図９は、第１ファン停止時間が１０００秒であり、且つ、第２ファン停止時間が５００秒であった場合の例を示す。本実施例では、第２ファン停止時間が第１ファン停止時間よりも短い場合にも、第１ファン停止時間を示す通知情報がユーザに通知される。図９では、第２ファン停止時間が第１ファン停止時間よりも短いため、第１ファン停止時間（１０００秒＝８分２０秒）を示すＯＳＤ画像３０２が示されている。上述したように、本実施例では、第２ファン停止時間が第１ファン停止時間に近づけられる。そのため、第１ファン停止時間に関する情報のみがユーザに通知されても問題は無い。
【００５７】
また、ＯＳＤ画像３０２には、画面の輝度（バックライトの発光輝度）が低減されていることも示されている。このような情報（画面の輝度が低減されていることを示す情報；低減情報）はユーザに通知されなくてもよいが、低減情報をユーザに通知することにより、画面の輝度が低下した理由をユーザが正確に把握することができる。
【００５８】
以上述べたように、本実施例によれば、通知情報がユーザに通知されることにより、複数の装置におけるファンの駆動開始時刻をユーザが前もって容易に把握することができる。また、本実施例によれば、第２ファン停止時間が第１ファン停止時間よりも短い場合に、表示装置が有する画面の輝度が低減される。それにより、第２ファン停止時間を延ばすことができ、第２ファン停止時間を第１ファン停止時間に近づけることができる。その結果、表示装置のファンの駆動音（回転音）が記録されるリスクを低減することができる。
【００５９】
＜実施例３＞
以下、本発明の実施例３に係る情報処理装置及び情報処理方法について説明する。本実施例では、カメラの画面と表示装置の画面との両方に通知情報を表示する例を説明する。なお、以下では、実施例１と同様の処理を行う機能部について、実施例１と同一の符号を付し、説明を省略する。本実施例の構成は、実施例２の構成に組み合わせることもできる。
【００６０】
図１０は本実施例に係る情報処理システムの構成の一例を示す図である。図１０の情報処理システムは、マイクロフォン１０、カメラ５００、及び、表示装置６００を有する。マイクロフォン１０とカメラ５００は、ケーブル３１を用いて互いに接続されており、カメラ５００と表示装置６００は、ケーブル３３を用いて互いに接続されている。ケーブル３３としては、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格と、ＨＤＭＩ規格で規定されているＣＥＣ（Ｃｏｎｓｕｍｅｒ  Ｅｌｅｃｔｒｏｎｉｃｓ  Ｃｏｎｔｒｏｌ）プロトコルと、に準拠したＨＤＭＩケーブルを用いることができる。本実施例では、ケーブル３３がＨＤＭＩケーブルである例を説明する。なお、ケーブル３３はＨＤＭＩケーブルに限らない。カメラ５００と表示装置６００の間の双方向通信を可能にするケーブルであれば、ケーブル３３はどのようなケーブルであってもよい。また、カメラ５００と表示装置６００の間の双方向通信が可能であれば、カメラ５００と表示装置６００が無線で互いに接続されていてもよい。
【００６１】
カメラ５００は、表示装置６００との間で双方向通信を行うことができる。本実施例では、ＨＤＭＩ規格と、ＨＤＭＩ規格で規定されているＣＥＣプロトコルと、に準拠した双方向通信が行われる例を説明する。このような双方向通信では、ＨＤＭＩ規格およびＣＥＣプロトコルに準拠した制御コマンド（ＣＥＣコマンド）が用いられる。
【００６２】
カメラ５００は、動画記録処理を実行可能な撮像装置である。カメラ５００は、動画記録処理の開始と停止を指示するためにユーザが操作するユーザインターフェースを有する。カメラ５００は、動画記録処理の開始を検知した場合に、開始コマンドを表示装置６００へ送信し、動画記録処理の停止を検知した場合に、停止コマンドを表示装置６００へ送信する。開始コマンドと停止コマンドは、例えば、カメラ５００と表示装置６００の少なくとも一方の製造者によって規定された独自のＣＥＣコマンドである。
【００６３】
カメラ５００は、カメラ５００の装置内温度を測定する温度センサと、カメラ５００の内部を冷却するファン（第１ファン）とを有する。そして、カメラ５００は、動画記録処理（所定の処理）を行っている期間に、実施例１と同様の第１ファン制御と第１時間推定処理を行う。第１時間推定処理は、第１ファン停止時間（現時刻から第１ファンが駆動されると推定される時刻までの時間）を推定する処理である。そして、カメラ５００は、推定した第１ファン停止時間を示す第１時間情報を、第１時間通知コマンドを用いて表示装置６００へ出力する。第１時間通知コマンドは、例えば、カメラ５００と表示装置６００の少なくとも一方の製造者によって規定された独自のＣＥＣコマンドである。
【００６４】
カメラ５００は、画面（表示モジュール）をさらに有する。表示装置の表示モジュールと同様に、様々な表示モジュールをカメラ５００の表示モジュールとして使用することができる。カメラ５００の画面には、例えば、撮像によって生成された画像データに基づく画像が表示される。カメラ５００が表示装置６００からユーザ通知コマンドを受信すると、カメラ５００は、カメラ５００の画面にユーザ通知コマンドに応じたＯＳＤ画像を表示する。ユーザ通知コマンドは、例えば、通知情報、通知情報を表すＯＳＤ画像、及び、通知情報の構成要素の少なくともいずれかを含む。通知情報の構成要素は、例えば、時間情報（第１時間情報と第２時間情報の少なくともいずれか）、機器情報（カメラと表示装置の少なくともいずれかを示す情報）、等を含む。そして、カメラ５００が表示装置６００からユーザ通知コマンドを受信すると、カメラ５００は、カメラ５００の画面に、通知情報を表すＯＳＤ画像（例えば、図５のＯＳＤ画像３０１）を表示する。ユーザ通知コマンドは、例えば、カメラ５００と表示装置６００の少なくとも一方の製造者によって規定された独自のＣＥＣコマンドである。
【００６５】
図１１は、表示装置６００の構成の一例を示すブロック図である。図１１に示すように、表示装置６００は、表示モジュール１０３、ファン制御部１０６、温度センサ１０７、第２ファン１０８、ＨＤＭＩ通信部６０１、表示制御部６０２、通知情報送信部６０３、第１時間情報取得部６０４、及び、実行情報取得部６０５を有する。
【００６６】
ＨＤＭＩ通信部６０１は、カメラ５００から出力された画像データを表示制御部６０２へ送信する。ＨＤＭＩ通信部６０１は、カメラ５００から出力されたＣＥＣコマンドを第１時間情報取得部６０４と実行情報取得部６０５へ送信する。具体的には、ＨＤＭＩ通信部６０１は、第１時間通知コマンドを第１時間情報取得部６０４へ送信し、開始コマンドと停止コマンドを実行情報取得部６０５へ送信する。ＨＤＭＩ通信部６０１は、通知情報送信部６０３から出力されたＣＥＣコマンド（ユーザ通知コマンド）をカメラ５００へ送信する。
【００６７】
第１時間情報取得部６０４は、ＨＤＭＩ通信部６０１から出力された第１時間通知コマンドを解析することで、第１時間情報を取得する。そして、第１時間情報取得部６０４は、取得した第１時間情報を表示制御部６０２へ出力する。実行情報取得部６０５は、ＨＤＭＩ通信部６０１から出力されたＣＥＣコマンドを解析することで、実行情報を取得する。そして、実行情報取得部６０５は、取得した実行情報をファン制御部１０６へ出力する。本実施例では、実行情報取得部６０５に開始コマンドが入力されたタイミングから、実
行情報取得部６０５に停止コマンドが入力されたタイミングまでの期間に、動画記録処理が実行中であることを示す実行情報が取得される。そして、それ以外の期間に、動画記録処理が実行中でないことを示す実行情報が取得される。
【００６８】
表示制御部６０２は、実施例１の表示制御部１０２と同じ処理を行う。さらに、表示制御部６０２は、通知情報を通知情報送信部６０３へ出力する。通知情報送信部６０３は、表示制御部６０２から出力された通知情報をカメラ５００の画面に表示する表示制御を行う。具体的には、通知情報送信部６０３は、表示制御部６０２から出力された通知情報に基づいてユーザ通知コマンドを生成し、ＨＤＭＩ通信部６０１へ送信する。それにより、ユーザ通知コマンドがカメラ５００に送信され、カメラ５００の画面に通知情報（通知情報を表すＯＳＤ画像）が表示される。
【００６９】
次に、表示装置６００の動作の一例について、図１２のフローチャートを用いて説明する。図１２は、表示装置６００の動作の一例を示すフローチャートである。Ｓ１０１〜Ｓ１０７の処理は、実施例１と同じである。本実施例では、Ｓ１０６またはＳ１０７の次に、Ｓ３０１に処理が進められる。Ｓ３０１では、通知情報送信部６０３が、表示装置６００の画面にＯＳＤ表示された通知情報に基づくユーザ通知コマンドを、ＨＤＭＩ通信部６０１を介してカメラ５００へ送信する。それにより、カメラ５００の画面にも、表示装置６００の画面にＯＳＤ表示された通知情報と同様の通知情報が表示される。
【００７０】
以上述べたように、本実施例によれば、通知情報がユーザに通知されることにより、複数の装置におけるファンの駆動開始時刻をユーザが前もって容易に把握することができる。また、本実施例によれば、カメラの画面と表示装置の画面の両方に通知情報が表示される。それにより、カメラの画面と表示装置の画面のどちらでもユーザが通知情報を確認することができるため、利便性が向上する。
【００７１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７２】
１０２，４０１，６０２：表示制御部
１０４，４０２，６０４：第１時間情報取得部
１０６，４０３：ファン制御部
６０３：通知情報送信部
【図１】
2016220018.tif 000003
【図２】
2016220018.tif 000004
【図３】
2016220018.tif 000005
【図４】
2016220018.tif 000006
【図５】
2016220018.tif 000007
【図６】
2016220018.tif 000008
【図７】
2016220018.tif 000009
【図８】
2016220018.tif 000010
【図９】
2016220018.tif 000011
【図１０】
2016220018.tif 000012
【図１１】
2016220018.tif 000013
【図１２】
2016220018.tif 000014